(57)【要約】【課題】この発明は、ガイドシューの重り枠の上下面からの突出をなくし、かつ釣り合い重り用ガイドレールの配設位置を吊り車に巻き掛けられる主索の走行面からずらして、昇降路高さを低くでき、かつ主索と昇降路内機器との干渉を回避できるエレベータの釣り合い重り装置を得る。【解決手段】４つの重り側ガイドシュー２８は、それぞれ、嵌合部２８ａのコ字状の開口を上枠２４の長さ方向の外側に向け、嵌合部２８ａを、回転軸２５の軸方向に関し、重り枠２１の一側に位置させ、かつ上下方向に関し、重り枠２１から突出させないように、一対の縦枠２３のそれぞれに取り付けられている。【選択図】図４
2011168375.tif 000002
【特許請求の範囲】
【請求項１】
上枠、下枠、および一対の縦枠からなる矩形枠状に構成され、該縦枠の長さ方向を上下方向に一致させて配設される重り枠と、該重り枠に収納保持された釣り合い重りと、該上枠の長さ方向の中央部に該上枠の長さ方向と該縦枠の長さ方向とに直交する回転軸周りに回転可能に取り付けられ、主索が巻き掛けられる重り側吊り車と、それぞれコ字状の嵌合部を有し、該重り枠に取り付けられた複数の重り側ガイドシューと、を備え、昇降路内に上下方向に延設された一対の釣り合い重り用ガイドレールに該嵌合部を摺接可能に係合させ、該釣り合い重り用ガイドレールに案内されて該昇降路内を昇降するエレベータの釣り合い重り装置において、
上記複数の重り側ガイドシューは、上記嵌合部を、上記回転軸の軸方向に関し、上記重り枠の一側および他側の少なくとも一方に位置させ、かつ上下方向に関し、上記重り枠から突出させないように、上記一対の縦枠のそれぞれに取り付けられていることを特徴とするエレベータの釣り合い重り装置。
【請求項２】
上記複数の重り側ガイドシューは、上記嵌合部を上記重り枠の上記回転軸の軸方向の一側に位置させ、かつ該嵌合部のコ字状の開口を上記上枠の長さ方向の外側に向けて、上記一対の縦枠のそれぞれに取り付けられていることを特徴とする請求項１記載のエレベータの釣り合い重り装置。
【請求項３】
上記複数の重り側ガイドシューは、上記嵌合部を上記重り枠の上記回転軸の軸方向の一側に位置させ、かつ該嵌合部のコ字状の開口を上記上枠の長さ方向の内側に向けて、上記一対の縦枠のそれぞれに取り付けられていることを特徴とする請求項１記載のエレベータの釣り合い重り装置。
【請求項４】
上記複数の重り側ガイドシューは、上記嵌合部を上記重り枠の上記回転軸の軸方向の一側と他側に位置させ、かつ該嵌合部のコ字状の開口を上記上枠の長さ方向の外方に向けて、上記一対の縦枠のそれぞれに取り付けられていることを特徴とする請求項１記載のエレベータの釣り合い重り装置。
【発明の詳細な説明】
【技術分野】
【０００１】
この発明は、エレベータ昇降路内に立設された釣り合い重り用ガイドレールに案内されて昇降するエレベータの釣り合い重り装置に関するものである。
【背景技術】
【０００２】
従来のエレベータの釣り合い重り装置は、下部に設けられた下枠、コ字状に作製され、コ字状の開口部を対向させて下枠の両端部に立設された縦枠、および縦枠の上部に跨って設けられた上枠から構成される形鋼枠と、両端部を縦枠のコ字状の開口部内に配置させて下枠の上面に載置され、通しボルトなどにより固定されている釣り合い重りと、上枠の中央部に回転可能に設けられ、主索が巻き掛けられる重り側吊り車と、それぞれコ字状に作製され、コ字状の開口部を外側に向けて、上枠の上面両端部および下枠の下面両端部に固定された取付部のそれぞれにボルトなどにより締着固定され、釣り合い重り用ガイドレールに摺接案内されるガイドシューと、を備えている（例えば、特許文献１参照）。
【先行技術文献】
【特許文献】
【０００３】
【特許文献１】特開２００５−２０６３６１号公報
【発明の概要】
【発明が解決しようとする課題】
【０００４】
従来のエレベータの釣り合い重り装置では、ガイドシューがコ字状の開口部を外側に向けて上枠の上面両端部および下枠の下面両端部に固定された取付部に取り付けられているので、釣り合い重り用ガイドレールが釣り合い重り装置の幅方向両側に配置される。
【０００５】
このように構成された従来のエレベータの釣り合い重り装置を機械室レスエレベータに適用した場合、巻き上げ機が昇降路内に設置されているので、返し車取付兼綱止め用の梁は、昇降路の釣り合い重り装置および釣り合い重り用ガイドレールの上部に架設され、重り側返し車が釣り合い重り用ガイドレールの上部に位置するように梁に取り付され、主索の一端が梁に固定される。
【０００６】
このとき、ガイドシューが上枠の上面両端部および下枠の下面両端部に固定された取付部に取り付けられているので、釣り合い重り装置が緊急時に飛び上がっても、ガイドシューが梁に当たらないように、釣り合い重り用ガイドレールを長くする必要があった。これにより、釣り合い重り装置側の昇降路高さがその分高くなるという問題があった。
また、釣り合い重り用ガイドレールが釣り合い重り装置の吊り車に巻き掛けられた主索の走行面上に位置するとともに、釣り合い重り用ガイドレールと主索との間の距離が短いので、主索が釣り合い重り用ガイドレールを固定するレールブラケットや他の機器と干渉し易くなるという問題もあった。
【０００７】
この発明は、このような課題を解決するためになされたものであって、ガイドシューの重り枠の上下面からの突出をなくし、かつ釣り合い重り用ガイドレールの配設位置を吊り車に巻き掛けられる主索の走行面からずらして、昇降路高さを低くでき、かつ主索と昇降路内機器との干渉を回避できるエレベータの釣り合い重り装置を得ることを目的とする。
【課題を解決するための手段】
【０００８】
この発明に係るエレベータの釣り合い重り装置は、上枠、下枠、および一対の縦枠からなる矩形枠状に構成され、該縦枠の長さ方向を上下方向に一致させて配設される重り枠と、該重り枠に収納保持された釣り合い重りと、該上枠の長さ方向の中央部に該上枠の長さ方向と該縦枠の長さ方向とに直交する回転軸周りに回転可能に取り付けられ、主索が巻き掛けられる重り側吊り車と、それぞれコ字状の嵌合部を有し、該重り枠に取り付けられた複数の重り側ガイドシューと、を備え、昇降路内に上下方向に延設された一対の釣り合い重り用ガイドレールに該嵌合部を摺接可能に係合させ、該釣り合い重り用ガイドレールに案内されて該昇降路内を昇降するエレベータの釣り合い重り装置において、上記複数の重り側ガイドシューは、上記嵌合部を、上記回転軸の軸方向に関し、上記重り枠の一側および他側の少なくとも一方に位置させ、かつ上下方向に関し、上記重り枠から突出させないように、上記一対の縦枠のそれぞれに取り付けられているものである。
【発明の効果】
【０００９】
この発明によれば、複数の重り側ガイドシューは、嵌合部を、回転軸の軸方向に関し、重り枠の一側および他側の少なくとも一方に位置させて、一対の縦枠のそれぞれに取り付けられている。そこで、釣り合い重り用ガイドレールが重り側吊り車に巻き掛けられた主索の走行面からずれて延設されるので、釣り合い重り用ガイドレール、ガイドレールブラケット、レールクリップなどの昇降路内機器と主索との干渉を回避できる。
また、複数の重り側ガイドシューは、嵌合部を、上下方向に関し、重り枠から突出させないように、一対の縦枠のそれぞれに取り付けられている。そこで、釣り合い重り装置の上下方向の長さが短くなり、釣り合い重り装置が緊急時に飛び上がっても、重り側ガイドシューが重り側綱止め梁に当たるような事態が回避される。これにより、釣り合い重り用ガイドレールを長くする必要がなくなり、釣り合い重り装置側の昇降路高さをその分低くできる。
【図面の簡単な説明】
【００１０】
【図１】この発明の実施の形態１に係るエレベータの釣り合い重り装置を適用した機械室レスエレベータの２：１ローピングのロープ掛け図である。
【図２】この発明の実施の形態１に係るエレベータの釣り合い重り装置を適用した機械室レスエレベータを昇降路上部から見た平面図である。
【図３】図２のＡ部詳細図である。
【図４】この発明の実施の形態１に係るエレベータの釣り合い重り装置の構成を説明する斜視図である。
【図５】この発明の実施の形態２に係るエレベータの釣り合い重り装置を適用した機械室レスエレベータの釣り合い重り装置周りを示す要部断面図である。
【図６】この発明の実施の形態３に係るエレベータの釣り合い重り装置を適用した機械室レスエレベータの釣り合い重り装置周りを示す要部断面図である。
【発明を実施するための形態】
【００１１】
実施の形態１．
図１はこの発明の実施の形態１に係るエレベータの釣り合い重り装置を適用した機械室レスエレベータの２：１ローピングのロープ掛け図、図２はこの発明の実施の形態１に係るエレベータの釣り合い重り装置を適用した機械室レスエレベータを昇降路上部から見た平面図、図３は図２のＡ部詳細図、図４はこの発明の実施の形態１に係るエレベータの釣り合い重り装置の構成を説明する斜視図である。
【００１２】
図１乃至図４において、かご側綱止め梁１および重り側綱止め梁２がそれぞれ昇降路３の上部に架設され、巻き上げ機４が昇降路３の下部に配設されている。かご５は、かご枠の一対の縦枠（図示せず）のそれぞれの上下端部側に取り付けられたかご側ガイドシュー６を、昇降路３内に上下方向に延設された一対のかご用ガイドレール７に摺接可能に嵌合させ、一対のかご用ガイドレール７に案内されて昇降路３内を昇降可能に配設されている。また、一対のかご側吊り車８が、かご５の重心Ｇを通るかご５の昇降方向と平行な直線に対して対称となるように間口方向に分かれてかご５の下部に配設されている。なお、図２中、左右方向を間口方向とし、上下方向を奥行き方向とする。
【００１３】
釣り合い重り装置２０は、下部に設けられた下枠２２、断面コ字状に作製され、コ字状の開口部を対向させて互いに平行に下枠２２の長さ方向の両端部に立設された一対の縦枠２３、および一対の縦枠２３の長さ方向の上部に跨って設けられた上枠２４により矩形枠状に構成された重り枠２１と、両端部を一対の縦枠２３の対向するコ字状の開口部内に配置させて下枠２２の上面に載置され、通しボルト（図示せず）などにより固定された釣り合い重り２６と、を備えている。
【００１４】
重り側吊り車２７が、上枠２４の中央部に、軸心を縦枠２３の長さ方向と上枠２４の長さ方向とに直交する方向とする回転軸２５周りに回転可能に取り付けられている。また、重り側ガイドシュー２８は、それぞれコ字状の嵌合部２８ａが平板状の取付腕２８ｂの先端に一体に形成されている。そして、嵌合部２８ａのコ字状の開口が取付腕２８ｂの先端外側に開口している。重り側ガイドシュー２８は、それぞれ嵌合部２８ａのコ字状の開口を上枠２４の長さ方向の外側に向けて、一対の縦枠２３のそれぞれのコ字状の一辺の上下端部側に、取付腕２８ｂをボルト２９により締着固定されている。これにより、重り側ガイドシュー２８が、嵌合部２８ａのコ字状の開口を上枠２４の長さ方向の外側に向けて、かつ縦枠２３の長さ方向に関して重り枠２１から突出しないように、重り枠２１の裏面の四隅に配設されている。
【００１５】
一対の釣り合い重り用ガイドレール３０は、それぞれ断面Ｔ字状の長尺体に作製され、幅広の取付用フランジ部と、取付用フランジ部の幅方向中央部に薄肉のウェブ部を介して連結された厚肉の頭部と、を有する。一対の釣り合い重り用ガイドレール３０は、かご５の間口方向の他側に位置する昇降路３の内壁面の奥行き方向の後方に、上下方向に所定の間隔で取り付けられた複数の重り用レールブラケット３１のそれぞれに、取付用フランジ部をレールクリップ(図示せず)などを用いて固定され、頭部を向き合わせて、奥行き方向に互いに相対して昇降路３内に上下方向に延設されている。そして、釣り合い重り装置２０は、上下方向から見て、かご５の昇降領域を避けてかご５の間口方向の他側に、かつ重り枠２１の裏面を昇降路３の内壁面に向けて、重り側ガイドシュー２８の嵌合部２８ａを一対の釣り合い重り用ガイドレール３０の頭部に摺接可能に嵌合させ、一対の釣り合い重り用ガイドレール３０に案内されて昇降路３内に昇降可能に配設されている。
【００１６】
このように構成された機械室レスエレベータにおいては、かご側綱止め梁１が、間口方向の一側に位置するかご側吊り車８の上方に位置するように昇降路３の上部に架設され、重り側綱止め梁２が、重り側吊り車２７の上方に位置するように昇降路３の上部に架設されている。また、巻き上げ機４が、上下方向から見て、釣り合い重り装置２０の昇降領域の奥行き方向の前方に位置するように、昇降路３の下部に配設されている。さらに、かご側返し車９が、間口方向の他側に位置するかご側吊り車８と巻き上げ機４の綱車４ａとの間の上方に位置するように昇降路３の上部に取り付けられている。さらにまた、重り側返し車１０が、巻き上げ機４の綱車４ａと重り側吊り車２７との間の上方に位置するように昇降路３の上部に取り付けられている。
【００１７】
そして、主索１１が、その一端をかご側綱止め梁１に固着されてかご５の間口方向の一側に垂下され、かご５の下部に取り付けられた一対のかご側吊り車８に掛け渡されてかご５の間口方向の他側から引き上げられ、ついで昇降路３の上部に取り付けられたかご側返し車９に掛け渡されて垂下され、巻き上げ機４の綱車４ａに巻き掛けられて引き上げられ、ついで昇降路３の上部に取り付けられた重り側返し車１０に掛け渡されて垂下され、釣り合い重り装置２０の重り枠２１の上枠２４に取り付けられた重り側吊り車２７に巻き掛けられて引き上げられ、その他端を重り側綱止め梁２に固着されている。
【００１８】
この機械室レスエレベータにおいては、巻き上げ機４の綱車４ａが図１中時計回りに回転駆動されると、主索１１がかご側返し車９および重り側返し車１０を反時計回りに回転させるように走行し、かご５がかご用ガイドレール７に案内されて上昇し、釣り合い重り装置２０が釣り合い重り用ガイドレール３０に案内されて下降する。また、巻き上げ機４の綱車４ａが図１中反時計回りに回転駆動されると、主索１１がかご側返し車９および重り側返し車１０を時計回りに回転させるように走行し、かご５がかご用ガイドレール７に案内されて下降し、釣り合い重り装置２０が釣り合い重り用ガイドレール３０に案内されて上昇する
【００１９】
このとき、重り枠２１の裏面の上枠２４の長さ方向の同一側に配設されている重り側ガイドシュー２８の嵌合部２８ａのコ字状の開口は同じ方向に開口し、重り枠２１の裏面の上枠２４の長さ方向の異なる側に配設されている重り側ガイドシュー２８の嵌合部２８ａのコ字状の開口は逆方向に開口している。そこで、嵌合部２８ａが釣り合い重り用ガイドレール３０の頭部から外れることが防止され、釣り合い重り装置２０が釣り合い重り用ガイドレール３０に案内されて昇降移動できる。
【００２０】
この実施の形態１によれば、４つの重り側ガイドシュー２８が、嵌合部２８ａのコ字状の開口を上枠２４の長さ方向の外側に向けて、一対の縦枠２３のそれぞれの上下端部側に取付腕２８ｂをボルト２９により締着固定されて、回転軸２５の軸方向の一側である重り枠２１の裏面に配設されている。そこで、釣り合い重り用ガイドレール３０は、重り側吊り車２７に巻き掛けられた主索１１の走行面に対して、回転軸２５の軸方向の一側にずれて上下方向に延設する。これにより、釣り合い重り用ガイドレール３０や釣り合い重り用ガイドレール３０を固定する重り用レールブラケット３１やレールクリップと主索１１との干渉が回避される。そして、昇降路３のスペースを広げることなく、昇降路３内の機器レイアウトが容易となる。
【００２１】
また、嵌合部２８ａ、即ち重り側ガイドシュー２８が、重り枠２１から上下方向に突出しないように重り枠２１に取り付けられている。そこで、釣り合い重り装置２０の上下方向寸法の増大が抑えられるので、釣り合い重り用ガイドレール３０を長くすることなく、釣り合い重り装置２０が緊急時に飛び上がっても、重り側ガイドシュー２８が重り側綱止め梁２に当たるような事態を未然に回避できる。これにより、釣り合い重り装置２０側の昇降路３高さを低くできる。
【００２２】
また、嵌合部２８ａ、即ち重り側ガイドシュー２８が、重り枠２１から上枠２４の長さ方向に突出しないように重り枠２１に取り付けられている。そこで、一対の釣り合い重り用ガイドレール３０間の距離が短くなり、釣り合い重り用ガイドレール３０の設置スペースを縮小でき、昇降路３の省スペース化が図られる。
【００２３】
実施の形態２．
図５はこの発明の実施の形態２に係るエレベータの釣り合い重り装置を適用した機械室レスエレベータの釣り合い重り装置周りを示す要部断面図である。
【００２４】
図５において、重り側ガイドシュー３２は、コ字状の嵌合部３２ａを平板状の取付腕３２ｂの先端に一体に形成して構成されている。そして、嵌合部３２ａのコ字状の開口が取付腕３２ｂの表面と直交する方向に開口している。
重り側ガイドシュー３２は、それぞれ嵌合部３２ａのコ字状の開口を上枠２４の長さ方向の内側に向けて、一対の縦枠２３のそれぞれのコ字状の底辺の上下端部側に、取付腕３２ｂをボルト２９により締着固定されている。これにより、重り側ガイドシュー３２が、嵌合部３２ａのコ字状の開口を上枠２４の長さ方向の内側に向けて、かつ縦枠２３の長さ方向に関して重り枠２１から突出しないように、重り枠２１の裏面の四隅に配設されている。
【００２５】
一対の釣り合い重り用ガイドレール３０は、頭部を外側に向けて、奥行き方向に互いに相対して昇降路３内に上下方向に延設されている。そして、釣り合い重り装置２０Ａは、嵌合部３２ａを一対の釣り合い重り用ガイドレール３０の頭部に摺接可能に嵌合させ、一対の釣り合い重り用ガイドレール３０に案内されて昇降路３内に昇降可能に配設されている。
なお、他の構成は、上記実施の形態１と同様に構成されている。
【００２６】
このように構成された釣り合い重り装置２０Ａにおいては、４つの重り側ガイドシュー３２が、嵌合部３２ａのコ字状の開口を上枠２４の長さ方向の内側に向けて、一対の縦枠２３のそれぞれの底辺の上下端部側に取付腕３２ｂをボルト２９により締着固定されている。そして、嵌合部３２ａは、回転軸２５の軸方向の一側である重り枠２１の裏面側に位置している。そこで、釣り合い重り用ガイドレール３０は、重り側吊り車２７に巻き掛けられた主索１１の走行面に対して、回転軸２５の軸方向の一側にずれて上下方向に延設する。これにより、釣り合い重り用ガイドレール３０や釣り合い重り用ガイドレール３０を固定する重り用レールブラケット３１やレールクリップと主索１１との干渉が回避される。そして、昇降路３のスペースを広げることなく、昇降路３内の機器レイアウトが容易となる。
【００２７】
また、嵌合部３２ａ、即ち重り側ガイドシュー３２が、重り枠２１から上下方向に突出しないように重り枠２１に取り付けられている。そこで、釣り合い重り装置２０Ａの上下方向寸法の増大が抑えられるので、釣り合い重り用ガイドレール３０を長くすることなく、釣り合い重り装置２０Ａが緊急時に飛び上がっても、重り側ガイドシュー３２が重り側綱止め梁２に当たるような事態を未然に回避できる。これにより、釣り合い重り装置２０Ａ側の昇降路３高さを低くできる。
【００２８】
また、嵌合部３２ａが、コ字状の開口を上枠２４の長さ方向の内側に向けて重り枠２１の裏面の四隅に配設されているので、一対の釣り合い重り用ガイドレール３０間の距離がさらに短くなり、釣り合い重り用ガイドレール３０の設置スペースを縮小でき、昇降路３のさらなる省スペース化が図られる。
【００２９】
実施の形態３．
図６はこの発明の実施の形態３に係るエレベータの釣り合い重り装置を適用した機械室レスエレベータの釣り合い重り装置周りを示す要部断面図である。
【００３０】
図６において、２つの重り側ガイドシュー２８が、それぞれ嵌合部２８ａのコ字状の開口を上枠２４の長さ方向の外側に向けて、一方の縦枠２３のコ字状の一辺の上下端部側に、取付腕２８ｂをボルト２９により締着固定されている。さらに、２つの重り側ガイドシュー２８が、それぞれ嵌合部２８ａのコ字状の開口を上枠２４の長さ方向の外側に向けて、他方の縦枠２３のコ字状の他辺の上下端部側に、取付腕２８ｂをボルト２９により締着固定されている。これにより、重り側ガイドシュー２８が、それぞれ嵌合部２８ａのコ字状の開口を上枠２４の長さ方向の外側に向けて、かつ縦枠２３の長さ方向に関して重り枠２１から突出しないように、重り枠２１の裏面の奥行き方向の前方の二隅と重り枠２１の表面の奥行き方向の後方の二隅とに配設されている。
【００３１】
一対の釣り合い重り用ガイドレール３０は、頭部を内側に向けて、奥行き方向に所定距離離間して、かつ間口方向に所定距離離間して、昇降路３内に上下方向に延設されている。そして、釣り合い重り装置２０Ｂは、嵌合部２８ａを一対の釣り合い重り用ガイドレール３０の頭部に摺接可能に嵌合させ、一対の釣り合い重り用ガイドレール３０に案内されて昇降路３内に昇降可能に配設されている。
なお、他の構成は、上記実施の形態１と同様に構成されている。
【００３２】
このように構成された釣り合い重り装置２０Ｂにおいては、４つの重り側ガイドシュー２８が、嵌合部２８ａのコ字状の開口を上枠２４の長さ方向の外側に向けて、一方の縦枠２３のコ字状の一辺の上下端部側と他方の縦枠２３のコ字状の他辺の上下端部側とに取付腕３２ｂをボルト２９により締着固定されている。そして、嵌合部２８ａは、回転軸２５の軸方向の一側である重り枠２１の裏面側と他側である重り枠２１の表面側とに位置している。そこで、釣り合い重り用ガイドレール３０は、重り側吊り車２７に巻き掛けられた主索１１の走行面に対して、回転軸２５の軸方向の一側および他側にずれて上下方向に延設する。これにより、釣り合い重り用ガイドレール３０や釣り合い重り用ガイドレール３０を固定する重り用レールブラケット３１やレールクリップと主索１１との干渉が回避される。そして、昇降路３のスペースを広げることなく、昇降路３内の機器レイアウトが容易となる。
【００３３】
また、嵌合部２８ａ、即ち重り側ガイドシュー２８が、重り枠２１から上下方向に突出しないように重り枠２１に取り付けられている。そこで、釣り合い重り装置２０Ｂの上下方向寸法の増大が抑えられるので、釣り合い重り用ガイドレール３０を長くすることなく、釣り合い重り装置２０Ｂが緊急時に飛び上がっても、重り側ガイドシュー２８が重り側綱止め梁２に当たるような事態を未然に回避できる。これにより、釣り合い重り装置２０Ｂ側の昇降路３高さを低くできる。
【００３４】
また、嵌合部２８ａ、即ち重り側ガイドシュー２８が、重り枠２１から上枠２４の長さ方向に突出しないように重り枠２１に取り付けられている。そこで、一対の釣り合い重り用ガイドレール３０間の距離が短くなり、釣り合い重り用ガイドレール３０の設置スペースを縮小でき、昇降路３の省スペース化が図られる。
【００３５】
なお、上記各実施の形態では、重り側ガイドシューが上枠の長さ方向の両側に２つずつ配設されているものとしているが、重り側ガイドシューが上枠の長さ方向の両側に配設されていれば、重り側ガイドシューの個数は４つに限定されない。例えば、重り側ガイドシューを上枠の長さ方向の両側に１つずつ配設してもよいし、重り側ガイドシューを上枠の長さ方向の一側に１つ、他側に２つ配設してもよい。
【符号の説明】
【００３６】
３  昇降路、１１  主索、２０，２０Ａ，２０Ｂ  釣り合い重り装置、２１  重り枠、２２  下枠、２３  縦枠、２４  上枠、２５  回転軸、２６  釣り合い重り、２７  重り側吊り車、２８，３２  重り側ガイドシュー、２８ａ，３２ａ  嵌合部、２８ｂ，３２ｂ  取付腕、３０  釣り合い重り用ガイドレール。
【図１】
2011168375.tif 000003
【図２】
2011168375.tif 000004
【図３】
2011168375.tif 000005
【図４】
2011168375.tif 000006
【図５】
2011168375.tif 000007
【図６】
2011168375.tif 000008